(57)【要約】【課題】不要な位置登録処理を抑制できる無線端末装置及びその制御方法を提供すること。【解決手段】携帯電話機１は、位置登録したＬＴＥシステムの呼出ゾーンに対応するＣＤＭＡシステムの呼出ゾーンの識別データを、ＬＴＥシステムの基地局から受信するＬＴＥ受信部４１と、ＣＤＭＡシステムの呼出ゾーンの識別データを、ＣＤＭＡシステムの基地局から受信するＣＤＭＡ受信部４２と、ＬＴＥシステムでの通信からＣＤＭＡシステムでの通信へ遷移する際、ＣＤＭＡ受信部４２により受信された遷移先の呼出ゾーンの識別データがＬＴＥ受信部４１により受信された識別データと一致する場合、新たに位置登録を行わず、一致しない場合、新たに位置登録を行う制御部３０と、を備える。【選択図】図２
2012114804.tif 000002
【特許請求の範囲】
【請求項１】
第１の通信システムにおける呼出ゾーンに対して位置登録した際に、当該第１の通信システムの呼出ゾーンに対応する第２の通信システムの呼出ゾーンに対しても位置登録される無線端末装置であって、
位置登録した前記第１の通信システムの呼出ゾーンに対応する第２の通信システムの呼出ゾーンの識別データを、前記第１の通信システムの基地局から受信する第１の受信部と、
前記第２の通信システムの呼出ゾーンの識別データを、当該第２の通信システムの基地局から受信する第２の受信部と、
前記第１の通信システムでの通信から前記第２の通信システムでの通信へ遷移する際、前記第２の受信部により受信された遷移先の呼出ゾーンの識別データが前記第１の受信部により受信された識別データと一致する場合、新たに前記遷移先の呼出ゾーンに対して位置登録を行わず、一致しない場合、新たに当該呼出ゾーンに対して位置登録を行う制御部と、を備える無線端末装置。
【請求項２】
前記第１の受信部は、前記第１の通信システムの基地局より報知されるオーバーヘッド情報から、前記第２の通信システムの呼出ゾーンの識別データを取得し、
前記第２の受信部は、前記第２の通信システムの基地局より報知されるオーバーヘッド情報から、前記第２の通信システムの呼出ゾーンの識別データを取得する請求項１に記載の無線端末装置。
【請求項３】
前記第１の通信システムは、ＬＴＥ方式であり、前記第２の通信システムは、ＣＤＭＡ方式である請求項１又は請求項２に記載の無線端末装置。
【請求項４】
前記第１の受信部は、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する第２の通信システムの呼出ゾーンの識別データを受信する請求項３に記載の無線端末装置。
【請求項５】
第１の通信システムにおける呼出ゾーンに対して位置登録した際に、当該第１の通信システムの呼出ゾーンに対応する第２の通信システムの呼出ゾーンに対しても位置登録される無線端末装置の制御方法であって、
位置登録した前記第１の通信システムの呼出ゾーンに対応する第２の通信システムの呼出ゾーンの識別データを、前記第１の通信システムの基地局から受信する第１の受信ステップと、
前記第２の通信システムの呼出ゾーンの識別データを、当該第２の通信システムの基地局から受信する第２の受信ステップと、
前記第１の通信システムでの通信から前記第２の通信システムでの通信へ遷移する際、前記第２の受信ステップにおいて受信された遷移先の呼出ゾーンの識別データが前記第１の受信ステップにおいて受信された識別データと一致する場合、新たに前記遷移先の呼出ゾーンに対して位置登録を行わず、一致しない場合、新たに当該呼出ゾーンに対して位置登録を行う制御ステップと、を含む制御方法。
【発明の詳細な説明】
【技術分野】
【０００１】
本発明は、複数の通信システムで通信可能な無線端末装置及びその制御方法に関する。
【背景技術】
【０００２】
近年、携帯電話機等の無線端末装置が利用する通信システムとして、回線交換（ＣＳ：Ｃｉｒｃｕｉｔ  Ｓｗｉｔｃｈｅｄ）方式の通信システム（例えば、ＣＤＭＡ）に加えて、ＬＴＥ（Ｌｏｎｇ  Ｔｅｒｍ  Ｅｖｏｌｕｔｉｏｎ）方式の通信システムが登場している。
【０００３】
ところが、無線端末装置では、ＬＴＥ方式の通信システムとＣＤＭＡ方式の通信システムとの双方を同時に利用することができない。そのため、無線端末装置は、ＬＴＥを利用中に、ＣＤＭＡのページングチャネルを取得できず、着信の有無を知ることができなかった。そこで、３ＧＰＰ  ＴＳ  ２３．２７２において、ＣＳ  Ｆａｌｌｂａｃｋ機能が規定され、この機能により、ＬＴＥでＣＤＭＡからの着信要求を通知することができる（例えば、特許文献１及び非特許文献１参照）。
【０００４】
ここで、ＣＳ  Ｆａｌｌｂａｃｋ機能を実現するためには、ＬＴＥで待ち受け中の端末がＣＤＭＡにおいて物理的にどの呼出ゾーンにあるかを知る必要がある。このため、無線端末装置がＬＴＥシステムで位置登録要求を行った際に、ＬＴＥシステムは、ＬＴＥの呼出ゾーンと重なるエリアを有するＣＤＭＡの呼出ゾーンに対して位置登録要求を行う。このとき、ＬＴＥの呼出ゾーンがＣＤＭＡのどの呼出ゾーンと重なっているかは、予め用意されているマッピングデータから取得される。ＣＤＭＡシステムは、ＬＴＥシステムから位置登録要求を受信すると、位置登録情報を更新し、ＬＴＥシステムへ応答を返信する。
【先行技術文献】
【特許文献】
【０００５】
【特許文献１】特開２００９−２６７９９６号公報
【非特許文献】
【０００６】
【非特許文献１】３ＧＰＰ  ＴＳ  ２３．２７２  Ｖ１０．１．０，  “Ｃｉｒｃｕｉｔ  Ｓｗｉｔｃｈｅｄ  （ＣＳ）  ｆａｌｌｂａｃｋ  ｉｎ  Ｅｖｏｌｖｅｄ  Ｐａｃｋｅｔ  Ｓｙｓｔｅｍ  （ＥＰＳ）；  Ｓｔａｇｅ  ２，”  ２０１０−０９
【発明の概要】
【発明が解決しようとする課題】
【０００７】
しかしながら、上記のマッピングデータは、ＬＴＥの呼出ゾーンとＣＤＭＡの呼出ゾーンとが１対１に対応付けられているため、実際の呼出ゾーンの物理的な位置関係とずれている場合がある。すると、ＣＳ  Ｆａｌｌｂａｃｋ機能が搭載されている無線端末装置は、ＬＴＥシステムからＣＤＭＡシステムへハンドオフした場合に、ハンドオフ先の呼出ゾーンと異なる呼出ゾーンに対して位置登録されていることも多い。
【０００８】
この場合、無線端末装置は、ＣＤＭＡの着信信号をハンドオフ先で受けることができない。そこで、無線端末装置は、ハンドオフした際に、ハンドオフ先の呼出ゾーンに対して、新たに位置登録を行う必要があった。すると、既に位置登録されている呼出ゾーンに対して再び位置登録を行う場合もあるため、ＣＤＭＡシステムへのアクセスが増大していた。
【０００９】
本発明は、不要な位置登録処理を抑制できる無線端末装置及びその制御方法を提供することを目的とする。
【課題を解決するための手段】
【００１０】
本発明に係る無線端末装置は、第１の通信システムにおける呼出ゾーンに対して位置登録した際に、当該第１の通信システムの呼出ゾーンに対応する第２の通信システムの呼出ゾーンに対しても位置登録される無線端末装置であって、位置登録した前記第１の通信システムの呼出ゾーンに対応する第２の通信システムの呼出ゾーンの識別データを、前記第１の通信システムの基地局から受信する第１の受信部と、前記第２の通信システムの呼出ゾーンの識別データを、当該第２の通信システムの基地局から受信する第２の受信部と、前記第１の通信システムでの通信から前記第２の通信システムでの通信へ遷移する際、前記第２の受信部により受信された遷移先の呼出ゾーンの識別データが前記第１の受信部により受信された識別データと一致する場合、新たに前記遷移先の呼出ゾーンに対して位置登録を行わず、一致しない場合、新たに当該呼出ゾーンに対して位置登録を行う制御部と、を備える。
【００１１】
また、前記第１の受信部は、前記第１の通信システムの基地局より報知されるオーバーヘッド情報から、前記第２の通信システムの呼出ゾーンの識別データを取得し、前記第２の受信部は、前記第２の通信システムの基地局より報知されるオーバーヘッド情報から、前記第２の通信システムの呼出ゾーンの識別データを取得することが好ましい。
【００１２】
また、前記第１の通信システムは、ＬＴＥ方式であり、前記第２の通信システムは、ＣＤＭＡ方式であることが好ましい。
【００１３】
また、前記第１の受信部は、３ＧＰＰ  ＴＳ  ２３．２７２に規定されているＣＳ  Ｆａｌｌｂａｃｋ機能のマッピングデータに基づいて、前記第１の通信システムの呼出ゾーンに対応する第２の通信システムの呼出ゾーンの識別データを受信することが好ましい。
【００１４】
本発明に係る制御方法は、第１の通信システムにおける呼出ゾーンに対して位置登録した際に、当該第１の通信システムの呼出ゾーンに対応する第２の通信システムの呼出ゾーンに対しても位置登録される無線端末装置の制御方法であって、位置登録した前記第１の通信システムの呼出ゾーンに対応する第２の通信システムの呼出ゾーンの識別データを、前記第１の通信システムの基地局から受信する第１の受信ステップと、前記第２の通信システムの呼出ゾーンの識別データを、当該第２の通信システムの基地局から受信する第２の受信ステップと、前記第１の通信システムでの通信から前記第２の通信システムでの通信へ遷移する際、前記第２の受信ステップにおいて受信された遷移先の呼出ゾーンの識別データが前記第１の受信ステップにおいて受信された識別データと一致する場合、新たに前記遷移先の呼出ゾーンに対して位置登録を行わず、一致しない場合、新たに当該呼出ゾーンに対して位置登録を行う制御ステップと、を含む。
【発明の効果】
【００１５】
本発明によれば、無線端末装置において、不要な位置登録処理が抑制される。
【図面の簡単な説明】
【００１６】
【図１】本発明の実施形態に係る携帯電話機の外観斜視図である。
【図２】本発明の実施形態に係る携帯電話機の機能を示すブロック図である。
【図３】本発明の実施形態に係る連携位置登録の手順を示す図である。
【図４】本発明の実施形態に係る携帯電話機がマッピングデータと異なる呼出ゾーンへハンドオフした場合の一例を示す図である。
【図５】本発明の実施形態に係る携帯電話機がマッピングデータと一致する呼出ゾーンへハンドオフした場合の一例を示す図である。
【図６】本発明の実施形態に係る携帯電話機がマッピングデータと一致する呼出ゾーンへハンドオフする場合の処理を示すシーケンス図である。
【図７】本発明の実施形態に係る携帯電話機がマッピングデータと一致しない呼出ゾーンへハンドオフする場合の処理を示すシーケンス図である。
【発明を実施するための形態】
【００１７】
以下、本発明の好適な実施形態の一例について説明する。なお、本実施形態では、無線端末装置の一例として携帯電話機１を説明する。
【００１８】
図１は、本実施形態に係る携帯電話機１の外観斜視図である。
なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１９】
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２０】
また、表示部側筐体３は、表面部２０に、各種情報を表示するための表示部２１と、通話の相手側の音声を出力するレシーバ２２と、を備えて構成されている。
【００２１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２２】
図２は、本実施形態に係る携帯電話機１の機能を示すブロック図である。
携帯電話機１は、操作部１１と、表示部２１と、制御部３０と、通信部４０と、記憶部５０と、音声制御部６０とを備える。
【００２３】
制御部３０は、携帯電話機１の全体を制御しており、例えば、表示部２１、通信部４０等の各部に対して所定の制御を行う。また、制御部３０は、操作部１１や通信部４０等から入力を受け付けて、各種処理を実行する。そして、制御部３０は、処理実行の際には、記憶部５０を制御し、各種プログラム及びデータの読み出し、及びデータの書き込みを行う。なお、本実施形態に係る制御部３０の詳細機能は後述する。
【００２４】
通信部４０は、所定の使用周波数帯（例えば、２ＧＨｚ帯や８００ＭＨｚ帯等）で外部装置（基地局）と通信を行う。そして、通信部４０は、アンテナより受信した信号を復調処理し、処理後の信号を制御部３０に供給し、また、制御部３０から供給された信号を変調処理し、アンテナから外部装置に送信する。
【００２５】
ここで、通信部４０は、本実施形態においては、音声及びデータ通信用の通信プロトコルであるＷ−ＣＤＭＡやＣＤＭＡ２０００＿１ｘ（以下、ＣＤＭＡという）方式と、主に高速データ通信に用いられる通信プロトコルであるＬＴＥ方式との双方に対応しており、いずれのプロトコルの通信システムでも通信可能である。通信部４０は、制御部３０からの指令に基づいて、いずれかのプロトコルにより基地局と通信を行う。なお、携帯電話機１は、データ通信時にはＬＴＥ方式によるＬＴＥシステム（第１の通信システム）での通信を優先し、音声通話時には、ＣＤＭＡ方式によるＣＤＭＡシステム（第２の通信システム）での通信へ切り替えるものとする。
【００２６】
通信部４０は、ＬＴＥ受信部４１（第１の受信部）とＣＤＭＡ受信部４２（第２の受信部）とを備えている。
【００２７】
ＬＴＥ受信部４１は、位置登録したＬＴＥシステムの呼出ゾーンに対応するＣＤＭＡシステムの呼出ゾーンの識別データを、ＬＴＥシステムの基地局１００から受信する。識別データは、ＬＴＥシステムにおいて、ＣＳ  Ｆａｌｌｂａｃｋ機能のマッピングデータに基づいて取得され、基地局１００より報知されるオーバーヘッド情報に含まれる。ＬＴＥ受信部４１は、このオーバーヘッド情報から識別データを取得する。
【００２８】
ＣＤＭＡ受信部４２は、ＣＤＭＡシステムを捕捉してハンドオフする際、ハンドオフ先の呼出ゾーンの識別データを、このＣＤＭＡシステムの基地局２００から受信する。識別データは、基地局２００より報知されるオーバーヘッド情報に含まれており、ＣＤＭＡ受信部４２は、このオーバーヘッド情報から識別データを取得する。
【００２９】
記憶部５０は、例えば、ワーキングメモリを含み、制御部３０による演算処理に利用される。また、本実施形態に係る各種プログラム等を記憶する。さらに、記憶部５０は、ＣＤＭＡシステムにおいて携帯電話機１が位置登録されている呼出ゾーンを識別するデータを含むゾーンリストを記憶する。
【００３０】
音声制御部６０は、制御部３０の制御に従って、通信部４０から供給された信号に対して所定の音声処理を行い、処理後の信号をレシーバ２２に出力する。レシーバ２２は、音声制御部６０から供給された信号を外部に出力する。なお、この信号は、レシーバ２２に代えて、又はレシーバ２２と共に、スピーカ（図示せず）から出力されるとしてもよい。また、音声制御部６０は、制御部３０の制御に従って、マイク１２から入力された信号を処理し、処理後の信号を通信部４０に出力する。通信部４０は、音声制御部６０から供給された信号に所定の処理を行い、処理後の信号をアンテナより出力する。
【００３１】
次に制御部３０の機能を詳述する。
携帯電話機１と各通信システムの制御装置とは、ＬＴＥシステムにおいてＣＤＭＡシステムの着信を通知するために、ＣＳ  Ｆａｌｌｂａｃｋ機能を有している。そこで、ＬＴＥシステムの制御装置であるＭＭＥ（Ｍｏｂｉｌｉｔｙ  Ｍａｎａｇｅｍｅｎｔ  Ｅｎｔｉｔｙ）は、ＬＴＥシステムとＣＤＭＡシステムとの物理的な呼出ゾーンの重なりの対応関係を示すマッピングデータを記憶している。
【００３２】
また、携帯電話機１は、ＬＴＥシステムにおける呼出ゾーンに対して位置登録した際に、このＬＴＥシステムの呼出ゾーンに対応するＣＤＭＡシステムの呼出ゾーンに対しても、ＭＭＥにより位置登録（連携位置登録）される。
【００３３】
図３は、本実施形態に係る連携位置登録の手順を示す図である。
ＬＴＥシステムの制御装置であるＭＭＥは、３つの呼出ゾーン（ＴＡ１、ＴＡ２、ＴＡ３）を管理している。また、ＣＤＭＡシステムの制御装置であるＭＳＣ（Ｍｏｂｉｌｅ  Ｓｗｉｔｃｈｉｎｇ  Ｃｅｎｔｅｒ）／ＶＬＲ（Ｖｉｓｉｔｅｄ  Ｌｏｃａｔｉｏｎ  Ｒｅｇｉｓｔｅｒ）＃１と、ＭＳＣ／ＶＬＲ＃２とは、それぞれ呼出ゾーンＬＡ１とＬＡ２とを管理している。
【００３４】
そして、ＭＭＥは、マッピングデータとして、ＴＡ１とＬＡ１との対応関係、並びにＴＡ２及びＴＡ３とＬＡ２との対応関係をマッピング表に記憶している。
【００３５】
まず、ＬＴＥシステムの呼出ゾーンＴＡ３に位置している携帯電話機１の制御部３０がＭＭＥに対して位置登録処理を行う（１）。すると、ＭＭＥは、マッピング表から、呼出ゾーンＴＡ３と物理的に重なっているＣＤＭＡシステムの呼出ゾーンＬＡ２を割り出す（２）。そして、ＭＭＥは、呼出ゾーンＬＡ２を管理しているＭＳＣ／ＶＬＲ＃２に対して位置登録要求を行う（３）。この要求を受けたＭＳＣ／ＶＬＲ＃２は、位置登録処理を行い、携帯電話機１がＬＴＥシステムの呼出ゾーンＴＡ３に位置していることを記憶する。
【００３６】
この連携位置登録がされたことにより、ＣＤＭＡシステムでの着信がＭＳＣ／ＶＬＲ＃２に通知され、さらに、ＭＳＣ／ＶＬＲ＃２からＭＭＥに対して着信通知が行われる。
【００３７】
携帯電話機１の制御部３０は、着信通知に応じて、ＬＴＥシステムからＣＤＭＡシステムへハンドオフして応答処理を行うが、この他にも、信号強度の低下等により携帯電話機１がアイドル中にＣＤＭＡシステムへハンドオフする場合がある。
【００３８】
この場合、制御部３０は、ＣＤＭＡシステムを捕捉して、通信環境が良好な基地局と同期するため、必ずしもマッピングデータと一致する呼出ゾーンへハンドオフするとは限らない。そこで、制御部３０は、ＬＴＥシステムでの通信からＣＤＭＡシステムでの通信へ遷移する際、ＣＤＭＡ受信部４２により受信された遷移先の呼出ゾーンの識別データがＬＴＥ受信部４１により受信された識別データと一致する場合、新たに遷移先の呼出ゾーンに対して位置登録を行わず、一致しない場合、新たに遷移先の呼出ゾーンに対して位置登録を行う。
【００３９】
このように、制御部３０は、ハンドオフ先の呼出ゾーンが上述の連携位置登録により既に位置登録されている呼出ゾーンと異なる場合にのみ、新たに位置登録処理を実行し、同一の呼出ゾーンに対して重複して位置登録処理を実行することを抑制する。
【００４０】
図４は、本実施形態に係る携帯電話機１がマッピングデータと異なる呼出ゾーンへハンドオフした場合の一例を示す図である。
【００４１】
この例では、携帯電話機１は、ＬＴＥシステムの呼出ゾーンＴＡ２に位置登録されており、マッピング表に従って、対応するＣＤＭＡシステムの呼出ゾーンＬＡ１にも連携位置登録されている。
【００４２】
このとき、携帯電話機１が物理的に呼出ゾーンＬＡ２と重なる場所に位置していると、ＣＤＭＡシステムへハンドオフした場合、呼出ゾーンＬＡ２と同期することとなる。すると、位置登録されている呼出ゾーンＬＡ１のＭＳＣ／ＶＬＲ＃１に着信信号が送信されるため、携帯電話機１は、この着信信号を受信することができない。
【００４３】
そこで、携帯電話機１の制御部３０は、ＬＴＥシステムの呼出ゾーンＴＡ２から、ＣＤＭＡシステムの呼出ゾーンＬＡ２へハンドオフした場合、新たに呼出ゾーンＬＡ２に対して位置登録処理を行う。
【００４４】
図５は、本実施形態に係る携帯電話機１がマッピングデータと一致する呼出ゾーンへハンドオフした場合の一例を示す図である。
【００４５】
この例では、携帯電話機１は、ＬＴＥシステムの呼出ゾーンＴＡ２に位置登録されており、マッピング表に従って、対応するＣＤＭＡシステムの呼出ゾーンＬＡ１にも連携位置登録されている。
【００４６】
このとき、携帯電話機１が物理的に呼出ゾーンＬＡ１と重なる場所に位置していると、ＣＤＭＡシステムへハンドオフした場合、既に連携位置登録されている呼出ゾーンＬＡ１と同期することとなる。したがって、携帯電話機１は、新たに位置登録することなくＭＳＣ／ＶＬＲ＃１に送信される着信信号を受信することができる。
【００４７】
図６は、本実施形態に係る携帯電話機１がマッピングデータと一致する呼出ゾーンへハンドオフする場合の処理を示すシーケンス図である。
【００４８】
ステップＳ１において、携帯電話機１は、ＬＴＥシステムの呼出ゾーンＴＡ２に位置し、制御部３０は、ＬＴＥシステムの基地局と同期する。
このとき、携帯電話機１の記憶部５０には、過去に位置登録したＣＤＭＡシステムの呼出ゾーンを識別するためのゾーンリストが記憶されている。なお、ゾーンリストには、呼出ゾーンの識別データとして、登録ゾーン番号（ＲＥＧ＿ＺＯＮＥ）、システム番号（ＳＩＤ）及びネットワーク番号（ＮＩＤ）が含まれている。
【００４９】
また、ＬＴＥシステムのＭＭＥは、マッピング表を記憶している。このマッピング表には、ＬＴＥシステムの呼出ゾーンに対応して、ＣＤＭＡシステムの呼出ゾーンの識別データ（ＲＥＧ＿ＺＯＮＥ、ＳＩＤ及びＮＩＤ）が含まれている。
【００５０】
ステップＳ２において、ＭＭＥは、マッピング表から、ＬＴＥシステムの呼出ゾーンＴＡ２に対応しているＣＤＭＡシステムの呼出ゾーンＬＡ１の識別データを取得する。そして、ＭＭＥは、取得した識別データ（ＲＥＧ＿ＺＯＮＥ＝１、ＳＩＤ＝１２３０４、ＮＩＤ＝４）を、オーバーヘッド情報に含めて携帯電話機１へ送信する。
【００５１】
ステップＳ３において、携帯電話機１の制御部３０は、ＭＭＥへ、ＬＴＥシステムの呼出ゾーンＴＡ２に対する位置登録要求を行う。
【００５２】
ステップＳ４において、ＭＭＥは、マッピング表で呼出ゾーンＴＡ２に対応付けられているＭＳＣ／ＶＬＲ＃１へ、ＣＤＭＡシステムの呼出ゾーンＬＡ１に対する位置登録要求を行う。
【００５３】
ステップＳ５において、ＭＳＣ／ＶＬＲ＃１は、位置登録応答をＭＭＥへ送信し、位置登録の完了を通知する。
【００５４】
ステップＳ６において、ＭＭＥは、位置登録応答を携帯電話機１へ送信し、位置登録の完了を通知する。
【００５５】
ステップＳ７において、携帯電話機１の制御部３０は、ＣＤＭＡシステムでの位置登録が完了したことに応じて、記憶部５０に記憶されているゾーンリストを更新する。ゾーンリストが識別データの履歴を保持している場合、最新レコード（例えば、１行目）に位置登録先である呼出ゾーンＬＡ１の識別データが挿入され、元のデータはシフトする。
【００５６】
ステップＳ８において、携帯電話機１は、ＬＴＥシステムの基地局と同期したものの、その後、ＬＴＥシステムの圏外となり、制御部３０は、ＣＤＭＡシステムを探索した結果、ＣＤＭＡシステムの呼出ゾーンＬＡ１の基地局と同期する。
【００５７】
ステップＳ９において、ＭＳＣ／ＶＬＲ＃１は、自身が管理しているＣＤＭＡシステムの呼出ゾーンＬＡ１の識別データ（ＲＥＧ＿ＺＯＮＥ＝１、ＳＩＤ＝１２３０４、ＮＩＤ＝４）を、オーバーヘッド情報に含めて携帯電話機１へ送信する。
【００５８】
ステップＳ１０において、携帯電話機１の制御部３０は、ステップＳ９で受信した識別データが、記憶部５０にあるゾーンリストの最新レコードと一致するか否かを判定する。本シーケンスでは、識別データが一致しているので、判定はＹＥＳとなり、制御部３０は、ハンドオフに伴う位置登録要求を行わず、処理を終了する。
【００５９】
図７は、本実施形態に係る携帯電話機１がマッピングデータと一致しない呼出ゾーンへハンドオフする場合の処理を示すシーケンス図である。
【００６０】
ステップＳ１からステップＳ７までは、図６と同一であり、連携位置登録に応じて、ＣＤＭＡシステムの呼出ゾーンＬＡ１の識別データがゾーンリストの最新レコードに記憶される。
【００６１】
ステップＳ８ａにおいて、携帯電話機１は、ＬＴＥシステムの基地局と同期したものの、その後、ＬＴＥシステムの圏外となり、制御部３０は、ＣＤＭＡシステムを探索した結果、ＣＤＭＡシステムの呼出ゾーンＬＡ２の基地局と同期する。
【００６２】
ステップＳ９ａにおいて、ＭＳＣ／ＶＬＲ＃２は、自身が管理しているＣＤＭＡシステムの呼出ゾーンＬＡ２の識別データ（ＲＥＧ＿ＺＯＮＥ＝２、ＳＩＤ＝１２３０４、ＮＩＤ＝４）を、オーバーヘッド情報に含めて携帯電話機１へ送信する。
【００６３】
ステップＳ１０において、携帯電話機１の制御部３０は、ステップＳ９ａで受信した識別データが、記憶部５０にあるゾーンリストの最新レコードと一致するか否かを判定する。本シーケンスでは、識別データが一致していないので、判定はＮＯとなり、制御部３０は、処理をステップＳ１１に移す。
【００６４】
ステップＳ１１において、携帯電話機１の制御部３０は、ＭＳＣ／ＶＬＲ＃２へ、ＣＤＭＡシステムの呼出ゾーンＬＡ２に対する位置登録要求を行う。
【００６５】
ステップＳ１２において、ＭＳＣ／ＶＬＲ＃２は、位置登録応答を携帯電話機１へ送信し、位置登録の完了を通知する。
【００６６】
ステップＳ１３において、携帯電話機１の制御部３０は、ＣＤＭＡシステムでの位置登録が完了したことに応じて、ステップＳ７と同様に、記憶部５０に記憶されているゾーンリストを更新する。
【００６７】
以上のように、本実施形態によれば、携帯電話機１は、ＬＴＥシステムからＣＤＭＡシステムへハンドオフした場合、既に連携位置登録されている呼出ゾーンであれば、新たに位置登録を行わず、異なる呼出ゾーンであれば、新たに位置登録を行う。よって、携帯電話機１は、不要な位置登録処理を抑制でき、電力消費を低減できる。
【００６８】
このとき、携帯電話機１は、連携位置登録されたＣＤＭＡシステムの呼出ゾーンがＬＴＥシステムからオーバーヘッド情報により通知され、ハンドオフ先の呼出ゾーンがＣＤＭＡシステムからオーバーヘッド情報により通知される。携帯電話機１は、これらの呼出ゾーンを比較することにより、新たな位置登録処理の要否を判定するので、通信データ量及び処理負荷の増大が抑制され、簡便に判定可能である。
【００６９】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７０】
前述の実施形態におけるＷ−ＣＤＭＡ方式、ＣＤＭＡ２０００＿１ｘ方式及びＬＴＥ方式は一例に過ぎず、他の通信プロトコルであってもよい。位置登録の際のゾーン間の連携さえあれば、例えば、ＧＳＭ方式と他のデータ通信に特化した方式であっても同様である。
【００７１】
また、本発明に係る無線端末装置は、携帯電話機１には限られない。本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ、通信機能に特化した通信専用モジュール等、様々な装置に適用可能である。
【符号の説明】
【００７２】
１  携帯電話機（無線端末装置）
１１  操作部
２１  表示部
３０  制御部
４０  通信部
４１  ＬＴＥ受信部（第１の受信部）
４２  ＣＤＭＡ受信部（第２の受信部）
５０  記憶部
６０  音声制御部
１００  基地局
２００  基地局
【図１】
2012114804.tif 000003
【図２】
2012114804.tif 000004
【図３】
2012114804.tif 000005
【図４】
2012114804.tif 000006
【図５】
2012114804.tif 000007
【図６】
2012114804.tif 000008
【図７】
2012114804.tif 000009